【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】  （ａ）把持可能手段を備える平面状アプリケーター基材であって、該アプリケーター基材は、内側表面を備え、該内側表面は、接着手段を備える、平面状アプリケーター基材と、
（ｂ）第一表面および第二表面を備える平面状パッチであって、前記第二表面は、接着手段を備える、平面状パッチと、
（ｃ）把持可能手段を備える平面状剥離基材であって、該剥離基材は、内側表面を備える、平面状剥離基材と、
を備える、間に挟まれているパッチを目標表面に貼り付けるための薄層アプリケーション装置において、
アプリケーター基材の内側表面の接着手段は、パッチの第一表面をアプリケーター基材の内側表面に剥離可能に貼り付け、それにより第一引き剥がし結合を構成し、それにより上部表面を備えるアプリケーター基材／パッチ結合体を形成し、
剥離基材は、結合体の上部表面に剥離可能に貼り付けられ、それにより第二引き剥がし結合を構成し、
第一引き剥がし結合の強度は、第二引き剥がし結合の強度より大きく、
パッチは、周辺側縁部を備え、該周辺側縁部は、
（ａ）剥離可能に貼り付けられている剥離基材の把持可能手段の近くにある前縁部と、
（ｂ）剥離可能に貼り付けられている剥離基材の把持可能な手段から遠くにある後縁部と、
（ｃ）固定されない縁部と、
を有し、
アプリケーター基材の内側表面の接着手段は、接着接触領域を含む接着領域を備え、前記接着接触領域は、前縁部接触領域及び後縁部接触領域を有し、
前縁部接触領域は、アプリケーター基材の内側表面に前縁部を付着させ、
後縁部接触領域は、アプリケーター基材の内側表面に後縁部を付着させる、
ことを特徴とする装置。
【請求項２】  パッチの第二表面の接着手段と目標表面との間の接着結合の強度は、第一引き剥がし結合の強度より大きいことを特徴とする請求項１に記載の装置。
【請求項３】  アプリケーター基材及び剥離基材の把持可能手段は、外側に伸びるタブであり、剥離基材のタブは、アプリケーター基材／パッチ結合体から横方向にずれていることを特徴とする請求項１又は２に記載の装置。
【請求項４】  アプリケーター基材及び剥離基材の把持可能手段は、外側に伸びるタブであり、アプリケーター基材のタブは、剥離基材のタブから横方向にずれていることを特徴とする請求項１又は２に記載の装置。
【請求項５】  前縁部接触領域又は後縁部接触領域の少なくともどちらかは、正弦波パターンであることを特徴とする請求項１ないし４のいずれかに記載の装置。
【請求項６】  接着領域は、パッチを取り囲んで構成されることを特徴とする請求項１ないし５のいずれかに記載の装置。
【請求項７】  アプリケーター基材は、ポリエステルフィルムからなり、パッチは、ポリエチレンフィルムからなり、剥離基材は、シリコン処理されたポリエステルからなることを特徴とする請求項１ないし６のいずれかに記載の装置。
【請求項８】  前縁部は、パッチの全周辺側縁部の約１０％〜約３０％からなり、後縁部は、パッチの全周辺側縁部の約１０％〜約３５％からなることを特徴とする請求項１ないし７のいずれかに記載の装置。
【請求項９】  前縁部接触領域は、約０．４ｃｍ２〜約２ｃｍ２の面積を備え、後縁部接触領域は、約０．４ｃｍ２〜約２．５ｃｍ２の面積を備えることを特徴とする請求項１ないし８のいずれかに記載の装置。
【請求項１０】  パッチは、活性物質をさらに含み、好ましくは、該活性物質は、薬剤であり、より好ましくは、該薬剤は、抗菌剤、発赤剤、鎮痛剤、ホルモン、抗脂漏剤、抗乾癬剤、角質溶解剤からなるグループから選択され、より好ましくは、薬剤は、ホルモンであることを特徴とする請求項１ないし９のいずれかに記載の装置。
【請求項１１】  ホルモンを必要としているヒトの女性に該ホルモンを送るようにした請求項１ないし１０のいずれかに記載の装置の使用。
【請求項１２】  （ａ）請求項１に記載のアプリケーション装置と、
（ｂ）それに関連する使用説明書と、
（ｃ）構成要素（ａ）と（ｂ）が入っている包装容器
を備えることを特徴とするアプリケーション装置を含む道具一式。
【手続補正２】
【補正対象書類名】明細書
【補正対象項目名】０００８
【補正方法】変更
【補正の内容】
【０００８】
図１と図２は、本発明の第一実施形態を説明している。図１は分解図であり、図２は平面図である。本発明の薄層アプリケーション装置２０は、実質的に平面のアプリケーター基材３２、間に挟まれている実質的に平面のパッチ４４、及び実質的に平面の剥離基材２４を備える。アプリケーター基材３２は、そこから外側に伸びる把持可能タブ３６を備える。アプリケーター基材３２はまた、内側表面４９を備える。アプリケーター基材３２の内側表面４９は、アプリケーター基材３２の内側表面４９に結合、コーティング、形成、積層、そうでなければ貼られて接着領域４０を備える接着手段を備える。図１と図２に示される接着領域４０は内側表面４９の約４０％に広がるが、アプリケーター基材３２のタブ３６まで広がることはない。好ましくは、接着領域は、約１％〜約９５％、より好ましくは、約２０％〜約６０％広がっている。
【手続補正３】
【補正対象書類名】明細書
【補正対象項目名】０００９
【補正方法】変更
【補正の内容】
【０００９】
更に図１と図２を参照すると、装置２０は、アプリケーター基材３２と剥離基材２４との間に挟まれる実質的に平面のパッチ４４を更に備える。パッチ４４は、第一表面５６と第二表面６０を備える。接着領域４０は部分的にパッチ４４の下にあり、パッチ４４をアプリケーター基材３２の内側表面４９に剥離可能に接着する。接着領域４０はまた、剥離基材２４を剥離可能に接着する。パッチ４４の第一表面５６は、接着手段（接着領域４０を有する）によりアプリケーター基材３２の内側表面４９に剥離可能に貼り付けられ、第一引き剥がし結合を構成し、それによりアプリケーター基材／パッチの結合体９５（以後、「結合体」と呼ぶ）を形成する。本明細書で使用する時、「引き剥がし結合」とは、結合力によって測定される、互いに接着する二つの表面の間で形成される結合を意味する。本明細書で使用する時、「結合力」とは、二つの表面を互いから剥がすのに必要な力の量を意味し、それによって結合の強度を測定する。従って、第一引き剥がし結合の強度が第二引き剥がし結合の強度より大きい場合、第一結合を構成する表面を剥がすために、第二引き剥がし結合を構成する表面と比較して、より大きい結合力が必要である。
【手続補正４】
【補正対象書類名】明細書
【補正対象項目名】００１１
【補正方法】変更
【補正の内容】
【００１１】
図１と図２を参照すると、装置２０は、そこから外側に伸びる把持可能タブ２８を備える剥離基材２４を備える。剥離基材２４は、結合体９５の上部表面に剥離可能に貼り付けられる内側表面６８を備え、それによって第二引き剥がし結合を構成する。パッチ４４の第二表面６０の接着手段、又はアプリケーター基材３２の内側表面４９の接着手段、又はそれらの組み合わせは、剥離基材２４を結合体９５に剥離可能に接着する。好ましくは、剥離基材２４が結合体９５に剥離可能に貼り付けられる時、間に挟まれているパッチ４４はアプリケーター基材３２と剥離基材２４との間に閉じ込められ、それによってパッチ４４用の閉じた容器を構成する。
【手続補正５】
【補正対象書類名】明細書
【補正対象項目名】００１４
【補正方法】変更
【補正の内容】
【００１４】
第一引き剥がし結合の強度を決定する重要な要素が、接着領域４０、より具体的には接着接触領域のパターンであることを出願人は確認した。図１と図２を参照すると、接着接触領域は、前縁部接触領域４１と後縁部接触領域４２を有する。パッチ４４は、アプリケーター基材３２に剥離可能に貼り付けられて結合体９５を形成する時、周辺側縁部４５を備える。本明細書で使用する時、「周辺側縁部」とは、パッチ４４の最も外側の周囲の境界の側縁部を意味する。周辺側縁部４５は、前縁部４６、後縁部４７、及び固定されない縁部４８を有する。剥離基材２４が結合体９５に剥離可能に貼り付けられる時、前縁部４６は剥離基材２４のタブの近くにある。ユーザーが剥離基材２４を結合体９５から剥がす時、剥離基材２４のタブ２８は、剥離基材２４の引き剥がし方向を指示する。本明細書で使用する時、「引き剥がし方向」とは、一つの積層体が他の積層体から引き剥がされる時に取る進路を意味する。結合体９５のパッチ４４の前縁部４６は、ユーザーが剥離基材２４を結合体９５から剥がす時の、パッチ４４の最初の露出表面である。後縁部４７は、剥離基材２４のタブ２８から遠くにある。ユーザーが剥離基材２４を結合体９５から剥がし続ける時、後縁部４７はパッチ４４の最後の露出表面である。
【手続補正６】
【補正対象書類名】明細書
【補正対象項目名】００１５
【補正方法】変更
【補正の内容】
【００１５】
剥離基材２４が結合体９５から剥がされる時、前縁部接触領域４１は、パッチの前縁部４６をアプリケーター基材３２の内側表面４９に付着させる。従って、パッチの前縁部４６は、接着接触領域によって付着され、ユーザーが剥離基材２４を結合体から剥がす時最初に露出する、パッチ４４の周辺縁部４５の一部分である。前縁部４６は、前縁部接触領域４１と連続している必要はない（本発明の第一実施形態に示される）。好ましくは、前縁部４６は、パッチ４４の全周辺側縁部４５の約１％〜約４５％、より好ましくは約１０％〜約３０％から成る。
【手続補正７】
【補正対象書類名】明細書
【補正対象項目名】００１７
【補正方法】変更
【補正の内容】
【００１７】
固定されない縁部４８は、パッチ４４の周辺側縁部４５の接着接触領域によって付着されない部分である。好ましくは、固定されない縁部は、パッチ４４の全周辺側縁部４５の約５％〜約９５％、より好ましくは約４０％〜約８０％から成る。  前縁部４６と後縁部４７を付着させることにより、接着接触領域は、パッチ４４自身にカールすることなく、またユーザーが不必要にパッチ４４に接触することなく、パッチ４４が目標表面に貼られるのを容易にする。好ましくは、前縁部接触領域４６は、０．１ｃｍ2〜４０００ｃｍ2の面積、より好ましくは０．４ｃｍ2〜２ｃｍ2の面積を備える。好ましくは、後縁部接触領域４２は、１ｃｍ2〜４５００ｃｍ2の面積、より好ましくは０．４ｃｍ2〜２．５ｃｍ2の面積を備える。
【手続補正８】
【補正対象書類名】明細書
【補正対象項目名】００１８
【補正方法】変更
【補正の内容】
【００１８】
図３は、剥離基材（図３に示さず）を剥がした後の本発明の第二実施形態の結合体１９５の平面図である。結合体１９５は、アプリケーター基材１３２に剥離可能に貼り付けられるパッチ１４４を備え、アプリケーター基材１３２は、そこから外側に伸びる把持可能タブ１３６を備える。アプリケーター基材１３２は、アプリケーター基材に結合されて接着領域１４０を備える接着手段を備える。パッチは、アプリケーター基材１３２の接着領域１４０に剥離可能に貼り付けられる。パッチ１４４を接着する接着領域１４０は、各々曲線の「帆立貝形状」型である前縁部接触領域１４１と後縁部接触領域１４２を有する接着接触領域を備える。次に、パッチ１４４は、前縁部１４６、後縁部１４７、及び固定されない縁部１４８を有する周辺側縁部１４５を備える。図３には示されないが、剥離基材が結合体１９５に剥離可能に貼り付けられる時、前縁部１４６は剥離基材のタブの近くにある。
【手続補正９】
【補正対象書類名】明細書
【補正対象項目名】００１９
【補正方法】変更
【補正の内容】
【００１９】
図１を参照すると、ユーザーが剥離基材２４を結合体９５から剥がす時、パッチ４４がアプリケーター基材３２に剥離可能に貼り付けられたままであるように、第一引き剥がし結合の強度は第二引き剥がし結合の強度より大きい。更に、ユーザーが結合体９５の上部表面を目標表面に貼る時、パッチ４４が目標表面に貼り付いて結合体９５から剥離させるように、接着結合の強度は第一引き剥がし結合の強度より大きい。この目的のために、本発明は、三つの結合間に強化した結合強度比を提供して装置の性能を向上させ、実施可能な接着剤のタイプのより広い範囲を提供し、実施可能なパッチの寸法のより広い範囲を提供し、デザイン変更へのより大きい許容度を提供すると共に、使用される全接着剤を低減させる。言い換えると、より少ない接着剤を使用すれば、製造コストを節約でき、パッチ４４からアプリケーター基材３２の内側表面４９の接着剤まで拡散し得る活性物質の量を減少させるだけでなく、内側表面４９の接着剤からパッチ４４までの抽出物の量を減少させる。
【手続補正１０】
【補正対象書類名】図面
【補正対象項目名】図１
【補正方法】変更
【補正の内容】
【図１】
2004515315.tif 000001
【手続補正１１】
【補正対象書類名】図面
【補正対象項目名】図２
【補正方法】変更
【補正の内容】
【図２】
2004515315.tif 000002
【手続補正１２】
【補正対象書類名】図面
【補正対象項目名】図３
【補正方法】変更
【補正の内容】
【図３】
2004515315.tif 000003
【手続補正１３】
【補正対象書類名】図面
【補正対象項目名】図４
【補正方法】変更
【補正の内容】
【図４】
2004515315.tif 000004